(57)【特許請求の範囲】
【請求項１】
座席が、人間の尻部を支持する座部分と、背部を支持する背もたれから成り、
座部分に属する固定継手部分（１１）と背もたれに属する揺動可能な継手部分（１２）が、揺動軸（１３）を介して互いに揺動可能に結合され、
両方の継手部分（１１，１２）の相対揺動位置を決定する調節兼固定装置が、伝動歯車装置として構成され、
伝動歯車装置が、固定継手部分（１１）に設けられて外歯（１６）を有する平歯車（１５）と、揺動可能な継手部分（１２）に設けられて平歯車（１５）の外歯（１６）の一部にかみ合いかつ外歯（１６）より多い歯数を持つ内歯（１８）を有する環状歯車（１７）から構成され、
揺動軸（１３）が、揺動可能な継手部分（１２）にあって揺動軸（１３）を包囲するカラー（１９）の外周と固定継手部分（１１）の平歯車（１５）の支持穴（２３）の円周との間に設けられる偏心輪部分（１４）を持ち、
この偏心輪部分（１４）が、揺動軸（１３）のブシユ状連行体（２０）を部分的に包囲する２つの弧状楔片（２４）と、連行体（２０）のボス（２１）から半径方向に離れて設けられて弧状楔片（２４）の弧のそれぞれ一端にある短辺の間にはまる円弧状連行腕（２２）と、連行腕（２２）及び弧状楔片（２４）を包囲しかつ弧状楔片（２４）の弧のそれぞれ他端にある長辺をばね脚片（２６）により互いに押し離すねじりばね（２５）から構成され、
偏心輪部分（１４）により、揺動可能な継手部分（１２）の環状歯車（１７）の内歯（１８）が、固定継手部分（１１）の平歯車（１５）の外歯（１６）とかみ合った状態に保たれる
ものにおいて、
連行体（２０）が、ねじりばね（２５）に作用する抵抗部材（３０）を持っている
ことを特徴とする、調節可能な背もたれを持つ座席用継手装置。
【請求項２】
連行体（２０）又はねじりばね（２５）が、傾斜面を持ち、ねじりばね（２５）又は連行体（２０）が傾斜面に当りかつ、空行程の通過時にばね荷重を受けてこの傾斜面上を滑つて移動する形状を持つていることを特徴とする、請求項１に記載の継手装置。
【請求項３】
連行体（２０）の抵抗部材（３０）が、かみ合いにより又は付加的な物質によりねじりばね（２５）と結合され、結合部がばね脚辺（２６）とはほぼ反対の側に設けられていることを特徴とする、請求項１又は２に記載の継手装置。
【請求項４】
連行体（２０）が、その連行腕（２２）の外周にカム突起（３１）として構成される抵抗部材を持ち、この抵抗部材がねじりばね（２５）の半径方向内方に突出するくぼみ（３２）と当り、くぼみ（３２）がばね脚辺（２６）とはほぼ反対の側に設けられていることを特徴とする、請求項１ないし３の１つに記載の継手装置。
【請求項５】
連行体（２０）の連行腕（２２）の外周が厚くされて、溝（３５）を備える抵抗部材（３０）とされており、半径方向内方に突出してばね脚辺（２６）とはほぼ反対の側にあるねじりばね（２５）のくぼみ（３２）が溝（３５）内に係合することを特徴とする、請求項１ないし３の１つに記載の継手装置。
【請求項６】
連行体（２０）が、その連行腕（２２）の外周にカム突起（３６）として構成される抵抗部材を持ち、この抵抗部材が半径方向外方を向いてばね脚辺（２６）とはほぼ反対の側にあるねじりばね（２５）の膨らみ（３７）によつて形状かみ合い式に包囲されていることを特徴とする、請求項１ないし３の１つに記載の継手装置。
【請求項７】
連行体（２０）が、その連行腕（２２）に直径上で対向した側にねじりばね（２５）のばね脚辺（２６）間にはまつて抵抗部材（３０）を形成する補償指片（３８）を持つていることを特徴とする、請求項１ないし３の１つに記載の継手装置。
【請求項８】
抵抗部材（３０）が、連行腕（２２）から半径方向外側に離れて連行体（２０）に設けられ、ばね脚辺（２６）とは反対の側にあるねじりばね（２５）の範囲が抵抗部材（３０）によつて連行体（２０）に固定されていることを特徴とする、請求項１ないし３の１つに記載の継手装置。
【請求項９】
抵抗部材（３０）が、周方向で離して並べられる３つの保持指片（４０，４１，４２）で形成され、２つの外側保持指片（４０，４２）がねじりばね（２５）の内周を支持し、内側保持指片（４１）がねじりばね（２５）の外周を支持することを持徴とする、請求項８に記載の継手装置。
【請求項１０】
抵抗部材（３０）が凸状に膨らんだ弧状環片（４３）として構成されており、この弧状環片がその端範囲（４４，４５）でねじりばね（２５′）を外側から支持し、かつ連行腕（２２）と抵抗部材（３０）の端範囲（４４，４５）との間で固定されることを特徴とする、請求項８に記載の継手装置。
【請求項１１】
連行体（２０）の連行腕（２２）の両側に、接線方向に突出する支持突起（５１）が続き、これらの支持突起が幅の広い基部でねじりばね（２５′′）の下側内周部分を支持し、抵抗部材（３０）が互いに離れて設けられる２つの支持親指片（５０）でねじりばね（２５′′）の外周を上から把持して、支持突起（５１）と支持親指片（５０）との間にねじりばね（２５′′）を固定することを特徴とする、請求項８に記載の継手装置。
【請求項１２】
半径方向内側に引き入れられるねじりばね（２５′′）のばね脚辺（２６）が外周範囲で互いに脇を通されて、かつ反対側に付属する弧状楔片（２４）の長辺にそれぞれ作用を加えて弧状楔片（２４）を挿し離すことを特徴とする、請求項９ないし１１の１つに記載の継手装置。
【請求項１３】
各弧状楔片（２４）の長辺にある止め突起（４８′）が、半径方向でねじりばね（２５′′）の各ばね脚辺（２６）の曲折端用の当り切欠き（５２）の上に設けられていることを特徴とする、請求項１ないし１２の１つに記載の継手装置。
【請求項１４】
各弧状楔片（２４）の長辺にある当り切欠き（５２）が、半径方向でねじりばね（２５′′）の線径の少なくとも１．５倍の広がりを持つていることを特徴とする、請求項１３に記載の継手装置。
【発明の詳細な説明】
【０００１】
【産業上の利用分野】
本発明は、座席が、人間の尻部を支持する座部分と、背部を支持する背もたれから成り、座部分に属する固定継手部分と背もたれに属する揺動可能な継手部分が、揺動軸を介して互いに揺動可能に結合され、両方の継手部分の相対揺動位置を決定する調節兼固定装置が、伝動歯車装置として構成され、伝動歯車装置が、固定継手部分に設けられて外歯を有する平歯車と、揺動可能な継手部分に設けられて平歯車の外歯の一部にかみ合いかつ外歯より多い歯数を持つ内歯を有する環状歯車から構成され、揺動軸が、揺動可能な継手部分にあって揺動軸を包囲するカラーの外周と固定継手部分の平歯車の支持穴の円周との間に設けられる偏心輪部分を持ち、この偏心輪部分が、揺動軸のブシユ状連行体を部分的に包囲する２つの弧状楔片と、連行体のボスから半径方向に離れて設けられて弧状楔片の弧のそれぞれ一端にある短辺の間にはまる円弧状連行腕と、連行腕及び弧状楔片を包囲しかつ弧状楔片の弧のそれぞれ他端にある長辺をばね脚片により互いに押し離すねじりばねから構成され、偏心輪部分により、揺動可能な継手部分の環状歯車の内歯）が、固定継手部分の平歯車の外歯とかみ合った状態に保たれるものに関する。
【０００２】
【従来の技術】
最初に述べられた種類の公知の継手装置では、連行体がスリーブからなり、このスリーブは、一端がスリーブ外径から突出する円板と一体に結合され、この円板にスリーブから半径方向で離して設けられてかつこれを部分的に覆う連行腕が一体に形成され、この連行腕が２つの弧状楔片の弧のそれぞれ一端にある短辺の間にはまり、これらの弧状楔片は、その外周で例えば１つの平歯車を包囲する一方の継手部分の支持穴を支持し、弧状楔片の内周面は連行体のスリーブを支持する他方の継手部分のカラーに支持されている。機能上及び製造上生じる公差の故に、両方の弧状楔片は、弧のそれぞれ他端にある長辺に作用を加えるねじりばねのばね脚辺によつてかなり押し離され、円弧状に構成される連行腕用の受入れ空間は弧状楔片の短辺に作用を加えるためにかなり大きな円弧寸法を持つことになる。従つて弧状楔片の短辺の間の円弧寸法が小さいときには、連行腕の当り面と弧状楔片の短辺との間に存在している周方向遊隙は、発生する公差の故に弧状楔片の短辺間に大きな円弧寸法が現われる場合よりも小さい。それ故に連行体に調節運動が導入されると、連行腕が弧状楔片の一方の短辺又は他方の短辺に作用を加えるまでに、操作者はかなり大きな空行程にわたって調節運動を行わねばならない。これは手動で連行体内に導入される調節運動の回転方向が変化するたびに常に起こる。この空行程に対して操作者は不快に反応する。更に走行運転中にチャタリング騒音が現れる。更に微調整は問題が多い。
【０００３】
【発明が解決しようとする課題】
しかし不可避的公差の故に周方向遊隙はなくすことができないので、本発明の課題は、操作者にとつて空行程がほとんど気づかれないようにすることである。
【０００４】
【課題を解決するための手段】
この課題は、本発明によれば連行体がねじりばねに作用する抵抗部材を持つていることによつて解決される。本発明によれば、座席の座部分に対する背もたれの相対揺動位置を変化するため、揺動軸従って連行体に回転運動を導入する際、弧状楔片の短辺と連行体の連行腕との間に周方向遊隙があっても、連行体がこの弧状楔片の短辺に達して遊隙がなくなるまで、連行体の抵抗部材がねじりばねに作用して、これを変形させねばならず、即ち連行体の回転がねじりばねの抵抗を受けるので、周方向遊隙がなくなるまで連行体が回転する場合の空行程は、操作者にはもはやほとんど気づかれなくなる。こうして本発明によれば、揺動可能な継手部分の環状歯車の内歯を固定継手部分１１の平歯車の外歯とかみ合った状態に保つため偏心輪部分にあるねじりばねが、連行体の空行程を操作者に感じさせないようにする役割も果たす。連行体又はねじりばねのいずれかが傾斜面を持つことができ、この場合相手部材（ねじりばね又は連行体）は、傾斜面に当りかつその上を空行程の通過持にばね荷重を受けて滑つて移動する形状を持つている。本発明の第１実施例では、有利には連行体がその連行腕の外周に、カム突起として構成される抵抗部材を持ち、カム突起は半径方向内方に突出するねじりばねのくぼみに当り、くぼみはばね脚辺とはほぼ反対の側に設けられている。ねじりばねのくぼみは連行体のカム突起を介して連行腕の一方の側が弧状楔片の短辺に当るように、この連行体の回転を引き起こす。当り方向に連行体が回されると、連行腕が該当する弧状楔片の短辺に既に当るので、空行程は実質的に現れない。逆方向に回されるとカム突起はねじりばねのくぼみの下に回り、空行程を通過するとき操作者にとつて直ちに抵抗が知覚可能となり、連行腕が一方の弧状楔片の短辺に当るとき、抵抗は調節抵抗として継続される。
【０００５】
本発明の別の実施例では、有利には連行体の連行腕の外周が厚くされて、溝を備える抵抗部材とされ、半径方向内側に突出してばね脚辺とはほぼ反対の側にあるねじりばねのくぼみが溝内に係合する。即ち連行体と、ねじりばねのばね脚辺とはほぼ反対の側にあるねじりばねが形状又は物質かみ合い式に結合されている。この構成では、連行体への回転運動の導入が始まると、開始される回転運動の回転方向にねじりばねが同時に連行される結果、ばね中に初期応力が構成され、この初期応力は操作者にとつて抵抗の形で知覚可能であり、最後には選択される回転方向に応じて連行腕が最終的に弧状楔片の該当する短辺に当るとき、調節抵抗に移行する。本発明の別の構成特徴により、連行体がその連行腕の外周にカム突起として構成される抵抗部材を持ち、この抵抗部材が半径方向外方を向いてばね脚辺とほぼ反対の側にあるねじりばねの膨らみによつて形状かみ合い式に包囲されているとき、前記と同じ効果を達成することができる。
【０００６】
本発明の対象の別の実施態様では、連行体が有利には、その連行腕に直径上で対向する側にねじりばねのばね脚辺の間にはまつて抵抗部材を形成する補償指片を持つている。この構成では、極端な場合に、つまり一方で弧状楔片の短片と連行腕との間の遊隙が最大な場合、又弧状楔片の短辺と連行腕との間に遊隙がない別の場合、空行程は現れない。というのも、一方の場合連行体内に回転運動が導入されると補償指片は、補償指片がばね脚辺に当る結果、知覚可能な抵抗を直ちにもたらすからである。他方の場合、弧状楔片の短辺が連行腕に当る結果、回転運動が各弧状楔片に直ちに伝達され、従つて操作者にとつて抵抗が直ちに知覚可能となる。ばね脚辺と補償指片との間にも又連行腕と弧状楔片の短辺との間にも遊隙が存在する最も不都合な中間位置のとき、僅かな空行程が可能であるが、しかしこれは最も不都合な遊隙事情のときの理論的最大遊隙のせいぜい半分又は１／４にすぎない。従つてこの実施態様のとき空行程が本質的に低減している。空行程の半分を満たす弾性範囲だけ抵抗部材が広げられると、空行程はまつたく知覚不可能とすることができる。
【０００７】
前記実施態様では、抵抗部材とねじりばねとの間の結合が遊隙を伴つているので、又は抵抗部材の弾性範囲の故に、作用を受けるねじりばねの腕に有効な力の導入が直ちには起きないので、ねじりばねは抵抗部材に対して、即ち連行体に対して調節段階の開始時に僅かに回ることがある。この点で本発明の対象を改良するために、抵抗部材が連行腕から半径方向に離して連行体に設けられ、ねじりばねがばね脚辺とは反対の側にある範囲で抵抗部材に固定されていることが提案される。抵抗部材は有利には、周方向で離れて並べて設けられる３つの保持指片で形成され、両方の外側保持指片がねじりばねの内周を支持し、内側保持指片がねじりばねの外周を支持する。
【０００８】
弧状楔片に対して有効なねじりばねの力を鎖錠時に高めるために、抵抗部材は凸状に膨らむ弧状環片として構成され、この弧状環片がその端範囲でねじりばねを外側から支持し、かつ連行腕と抵抗部材の端範囲との間に固定する。しかしその結果、特定のねじりばね範囲で応力が強まる。それ故に本発明の有利な構成特徴によれば、連行体の連行腕の両側に接続方向で突出する支持突起が続き、これらの支持突起は幅の広い基部でねじりばねの下側内周部分を支持し、抵抗部材は２つの離れて相対向して設けられる支持親指片でねじりばねの外周を上から把持して支持突起と支持親指片との間に固定する。空行程減衰中に調節トルクが強まるのを防止し、同時に鎖錠位置において弧状楔片の高い鎖錠力を達成するために、半径方向内方に引き入れられるねじりばねのばね脚辺が外周範囲で互いに脇を通されて、かつ反対側に付属する弧状楔片の長辺にそれぞれ作用を加えて弧状楔片を押し離す。
【０００９】
一方で弧状楔片の開放運動を制限し、他方で連行腕の作用を受けていない弧状楔片を開放するために、各弧状楔片の長辺に設けられる止め突起は、通常揺動軸に隣接する連行体の範囲に設けられている。しかしねじりばねのばね脚辺が弧状楔片の長辺から滑り落ちるのを排除するために、各弧状楔片の長辺にある止め突起は半径方向でねじりばねの各ばね脚辺の曲折端用の当り切欠きの上に設けられている。各弧状楔片の長辺でのそれらの当り点に関してばね脚辺の遊隙補償を実現するために、各弧状楔片の長辺にある当り切欠きが半径方向で、弧状楔片の線径の少なくとも１．５倍の広がりを持つている。これにより弧状楔片の末端は力を加えることなく、回避可能に各弧状楔片に支持されている。
【００１０】
【実施例】
本発明が図面に実施例として図示されており、以下に詳しく説明される。
【００１１】
図面に示された継手装置１０は、座席の両方の縦片で座部分と背もたれとの間に設けられ、座部分に対して背もたれを無段式に調節するのに役立つ。座部分に固定継手部分１１が結合され、背もたれには揺動可能な継手部分１２が付属している。継手部分１１，１２は、偏心輪部分１４を含む包囲する揺動軸１３によつて互いに結合されている。揺動軸１３も、伝動歯車装置として構成される調節兼固定装置の構成部分である。この調節兼固定装置には、例えば圧印加工により継手部分１１から形成される平歯車１５も属し、この平歯車の外歯１６は継手部分１２に例えば同様に圧印加工により形成される環状歯車１７の内歯１８にかみ合う。外歯１６の歯先円の直径は内歯１８の歯元円の直径より少なくとも１つの歯の高さだけ小さい。従つて両方の歯１６及び１８は、少なくとも１つだけ異なる歯数を持ち、内歯１８の歯数は外歯１６の歯数より大きい。図１及び図２に示した配置は外歯１６が内歯１８に沿つて転動するように選ばれている。
【００１２】
継手部分１２内に内歯１８に対して同心的にブシユとして構成される連行体２０が支持されており、この連行体がボス２１を含み、ボスはそれ自体内歯の側に突出する継手部分１２のカラー１９内に支持されている。連行体２０は、ボス２１から半径方向に離れて設けられる連行腕２２を持ち、この連行腕はカラー１９を介して一方でカラー１９と他方で平歯車１５の支持穴２３との間の空隙内に係合する。連行腕２２の面内で２つの弧状楔片２４が内面をカラー１９に支持され、これらの弧状楔片の外周は平歯車１５の支持穴２３に支持される。継手装置の固定状態で弧状楔片２４の幅の狭い端面は連行腕２２から少し離れており、弧状楔片２４の幅の広い端面は互いに広かるようにねじりばね２５のばね脚辺２６の作用を受けている。これらの弧状楔片２４は、継手部分１２のカラー１９と共に継手部分１１の支持穴２３内に受入れられる偏心輪部分を構成し、この偏心輪部分により継手部分１２の内歯１８は継手部分１１の平歯車１５の歯１６とかみ合つて、偏心輪最高点の延長上で保持される。連行体２０のボス２１はその中心にスプライン軸状の穴２７を持ち、一方の座席縦辺で一方の継手装置に導入される回転運動を反対側の座席縦辺で継手部分に伝達するために、前記穴はスプライン軸輪郭の伝達体２８を受入れる。弧状楔片２４の範囲で、連行体２０に弧状楔片状輪郭を持つ当り面２９が一体に形成されており、これらの当り面が連行腕２２に続く。しかし連行腕２２はこれらの当り面２９から突出している。
【００１３】
連行体２０は、ねじりばね２５に作用結合可能な抵抗部材３０に固定的に結合されており、図示された実施例の場合この抵抗部材は連行体２０に一体に結合されている。しかしこれが不可欠な前提条件でないことは自明であり、抵抗部材３０は別の仕方で、例えば嵌め込みによつて、又は結合手段を使用する等のことによつて連行体に結合しておくこともできる。
【００１４】
図１及び図２に見られる実施例では、抵抗部材３０が連行腕２２の外周に設けられるカム突起３１からなる。このカム突起３１は、両側で傾斜面によつて連行腕２２の外周に移行するように成形されている。ねじりばね２５は、半径方向内方に突出してそのばね脚辺２６に直径上で対向するくぼみ３２がこのカム突起３１に支持される。連行腕２２と弧状楔片２４の短辺との間の遊隙３３は、一方で不可避的製造公差に基づいており、他方で機能上必要であり、図２に見られる状態のとき連行腕２２がねじりばね２５のくぼみ３２の左側傾斜によつて、左側に設けられる弧状楔片２４の短辺に当つて保持されることによつて、遊隙はチヤタリングなしに覆うことができる。連行体２０の適切な回転によつてその連行腕２２が反時計周りに回されると、回転運動の開始時に連行腕２２は直ちに左側弧状楔片２４に作用を加えて、これをカラー１９と支持穴２３との間でのその締付け結合から引き離す。しかし連行腕２２が時計回りに回されると、まずカム突起３１がねじりばね２５のくぼみ３２の下に回り込み、弾性的に構成されるカ厶突起３１か又はねじりばね２５のいずれかがばね作用を加え、連行腕２２と右側弧状楔片２４との間の遊隙３３が橋絡される。両方の場合に操作者は、ハンドル車３４を手動で操作するときに抵抗を直ちに感じ、調節が直ちに開始されたときの主観的感覚を持つ。しかし後者の場合この調節は遊隙３３のなくなつた後にはじめて始まる。
【００１５】
図３に見られる実施例では、連行腕２２の外周に、同様に抵抗部材３０として機能する突起が設けられており、この突起はその最高点に溝３５を持ち、ねじりばね２５のくぼみ３２がこの溝３５内に係合して閉鎖する。連行腕２２内に一方又は他方の回転方向で回転運動が導入されると、ねじりばね２５のこぼみ３２が連行腕の溝内に保持されるので、ねじりばね２５の接線方向ばね作用は直ちに知覚可能な抵抗をもたらす。その後弧状楔片２４の短辺側止め面と連行腕２２の止め面との間の遊隙が克服されるまで回転抵抗は有効である。
【００１６】
図４に見られる実施例では、連行腕２２とねじりばね２５との間の形状かみ合い式又は物質かみ合い式結合が実施されており、それもしかもねじりばね２５が半径方向外方に突出する膨らみ３７を持ち、連行腕２２に一体に形成されるカム突起３６がこの膨らみ内に係合して閉鎖するように形成されている。
【００１７】
図５と図６に見られる実施例では、抵抗部材３０がやはり連行体と固定的に結合されており、しかし上記実施例とは異なり、連行腕２２に直径上で対向する側で連行体から突出する補償指片３８として構成されている。補償指片３８は両方の接線方向端面に弾性範囲３９を持つことができる。この補償指片３８はねじりばね２５のばね脚辺２６の間に入り、極端な場合、即ち製造公差が加算される場合、弧状楔片２４の短辺と連行腕２２との間に最大遊隙が現れるようにばね脚辺に支持される。
【００１８】
図６に示された別の極端な事例では、即ち製造公差に基づいて遊隙３３が現れない場合、弧状楔片２４の短辺は連行腕２２の長辺に支持される。２つの図示された事例において操作者は空行程をまつたく気づくことがない。というのも図５に示された事例では、連行体に回転運動が導入されると、補償指片３８を介して２つのばね脚辺２６の一方が直ちに作用を受け。一方又は他方の弧状楔片２４が連行腕２２の長辺に当るまで、ねじりばね２５のばね作用を介して抵抗が知覚可能であり、当る時点以降、継手装置の本来の調節運動が起きる。図６に見られる別の事例では、連行体に回転運動が導入されると、その連行腕２２を介して２つの弧状楔片２４の一方が直ちに作用を受け、この場合にも、調節運動のときに抵抗が直ちに知覚可能となり、継手装置の調節が直ちに始まる。しかし現れる公差の実際値に応じて、図５及び図６の図示に対して弧状楔片２４の中間位置が可能であり、補償指片３８に弾性範囲３９がない場合、弧状楔片２４の短辺と連行体２２との間にも又補償指片３８と各ばね脚辺２６との間にも遊隙が可能となる。しかし幾何学的事情に基づいて、一方で弧状楔片２４の短辺と連行体２２との間他方で補償指片３８とばね脚辺２６との間に、場合によつてはこうした遊隙が生じることがある。しかしこの遊隙はせいぜい理論的最大遊隙の半分にすぎない。実際に現れることのあるこの遊隙は、この場合連行腕２２の長辺と弧状楔片２４の短辺との間にも又補償指片３８とばね脚辺２６との間にも存在している。その他のあらゆる場合には、前記個所の遊隙はさまざまな大きさであり、まず連行腕２２が回転方向に応じて弧状楔片２４の短辺に当るか、又は補償指片３８の側面がねじりばね２５の２つのばね脚辺２６の一方に当るかのいずれかである。補償指片３８とばね脚辺２６との間の遊隙は弾性範囲が存在する場合、例えば加硫されるゴムにより形成しておくことのできる弾性範囲３９によつて充填しておくことができる。
【００１９】
図７に見られる実施例では、連行体２０の板部分から３つの保持指片４０，４１，４２が突出し、これらの保持指片か周方向で離して並べて設けられ、かつ弧状楔片２４によつて形成される偏心輪最高点とは反対側にあることによつて抵抗部材３０が連行腕２２から半径方向に離れてこの板部分に設けられている。各保持指片４０〜４２の横断面はＵ形に形成されており、保持指片４０，４２の脚辺は半径方向内向きであるのに対して、保持指片４１の脚辺は半径方向外向きである。保持指片４０，４１と保持指片４１，４２との間の間隔はねじりばね２５の線径に少なくとも等しい。保持指片４０，４２が半径方向に見て外側から覆われる一方、中央の保持指片４１が半径方向に見て内側から包囲されているように、ねじりばねは形成されている。
【００２０】
図８に見られる実施例では、抵抗部材３０が凸状に膨らむ弧状環片４３として構成されており、この弧状環片は連行体２０の連行腕２２からやはり離して設けられている。弧状環片の両方の端範囲４４，４５は半径方向外方に曲げられており、この個所でその内面は、連行腕２２の外周からねじりばね２５′がその線の太さで両者間にはまるような間隔を持つている。前記実施態様においてねじりばね２５は偏心輪最高点とは反対側にあつて外向きか又は内向きの単一のくぼみ３２を持つているのに対して、図８に見られる実施例のねじりばね２５′は半径方向内向きの２つのくぼみ４６，４７を備えており、これらのくぼみは偏心輪最高点とは反対側にある個所から同じ距離だけ離れている。ねじりばね２５′のくぼみ４６，４７の間の範囲は残りの周面範囲から半径方向内方に引き入れられて、かつ連行腕２２と凸状に膨らむ弧状環片４３との間に入り、しかし連行腕２２にも弧状環片４３にも当らない。
【００２１】
先に説明されたすべての実施例において、弧状楔片はその短辺に止め突起４８を持ち、これらの突起は半径方向でばね脚辺２６の下に設けられている。調節段階の開始時に連行される弧状楔片が、僅かな回転角度を通過後にその止め突起４８で、連行腕２２によつて連行されない弧状楔片の止め突起４８に作用を加えて、これを開放方向に回転させることによつて、これらの止め突起４８は特に連行腕２２によつて連行されない弧状楔片を開放するのに役立つ。更に止め突起４８はばね脚辺２６のかぎ端を位置決めするのに役立つ。
【００２２】
図９及び図１０に見られる継手装置の構造は、基本的に図１の説明から明らかとなるものと同じであり、この実施態様でも同じ部材には同じ符号が用いられている。図１及び図２に見られる実施態様と相違する点として、継手部分１１の支持穴２３に支持ブシユ４９が挿入されている。この実施態様でも抵抗部材３０は連行腕２２から離されて連行体２０の板部分に設けられ、かつ偏心輪最高点の反対面の両側に２つの互いに離して設けられる支持親指片５０を持ち、これらの支持親指片は偏心輪最高点とは反対側ねじりばね２５′′の外面を支持する。偏心輪最高点とは反対側にある連行腕２２の個所の両側で、連行腕から接線方向に突出する支持突起５１が進出し、これらの突起はねじりばね２５′′の内面に当る。前記ねじりばね２５，２５′とは異なり、内方に引き入れられるねじりばね２５′′のばね脚辺２６は外周範囲で互いに脇を通されて、反対面に付属する弧状楔片２４の長辺にそれぞれ作用を加えてこの弧状楔片を押し離す（図１０）。ねじりばね２５′′は、支持親指片５０と連行体２０の支持突起５１との間にはまつて支持親指片５０と支持突起５１との間に保持されているように、ばね脚辺２６とは反対側にある範囲が偏平に形成されている。
【００２３】
調節運動の開始時に連行腕２２によつて連行されない弧状楔片を開放するのに役立つ止め突起４８′は、図９及び図１０に見られる実施例では半径方向でばね脚辺２６の曲折部の上に設けられており、支持ブシユ４９に直接に隣接する。これにより、ばね脚辺２６が弧状楔片２４の長辺から滑り落ちて支持ブシユ４９に飛ぶことは防止される。
【００２４】
特に図１１から読み取ることができるように、弧状楔片２４の長辺はそれぞれ各ばね脚辺２６の曲折端用の当り切欠き５２を持つている。各弧状楔片２４の長辺に設けられるこれらの当り切欠き５２は、半径方向でねじりばね２５′′の線径の少なくとも１．５倍の広がりを持つている。これにより調節運動の開始時に、負荷されるばね端の補償運動も又負荷されないばね端の補償運動も可能であり、力の半径方向成分は限界内に抑えることができる。
【００２５】
既に述べたように、図示しかつ前述した実施態様は本発明の対象を例としてのみ示し、本発明がこれだけに限定されるものではない。むしろ本発明の対象の多様な変更と異なる構成も考えられる。更に説明中で述べかつ図面に示した特徴は、請求項に明確に権利を請求されていなくても、本発明にとつて重要である。
【図面の簡単な説明】
【図１】座席の片側に設けられるべき継手装置の垂直断面図である。
【図２】この継手装置の第１実施例を図１のＩＩ−ＩＩ線に沿つて示す横断面図である。
【図３】本発明の対象の別の実施例を図２と同様に示す図であり、しかし発明にとつて重要な部材のみ示されている。
【図４】図３に対して変更された実施例を図３と同様に示す図である。
【図５】発明にとつて重要な部材のみを図３及び図４と同様に示した本発明の対象の別の実施例であり、ばね脚辺の間に補償指片が設けられ、連行腕と弧状楔片との間に最大遊隙が存在している。
【図６】図５に見られる実施例であり、製造公差に基づいて連行腕と弧状楔片との間に遊隙が存在していない。
【図７】継手装置の別の実施例の中央範囲を図２と同様に示す断面図である。
【図８】継手装置の別の実施例の中央範囲を図７と同様に示す図である。
【図９】継手装置の別の実施例の垂直断面図である。
【図１０】図９に見られる継手装置を図９のＸ−Ｘ線に沿つて示す断面図である。
【図１１】図９及び図１０の実施例に対して変更された弧状楔片を図１０と同様に示す図である。
【符号の説明】
２０  連行体
２５  ねじりばね
３０  抵抗部材
【図１】
0003650941.tif 000002
【図２】
0003650941.tif 000003
【図３】
0003650941.tif 000004
【図４】
0003650941.tif 000005
【図５】
0003650941.tif 000006
【図６】
0003650941.tif 000007
【図７】
0003650941.tif 000008
【図８】
0003650941.tif 000009
【図９】
0003650941.tif 000010
【図１０】
0003650941.tif 000011
【図１１】
0003650941.tif 000012